(57)【要約】【課題】確度が高い評価に関する情報を取得することができる評価取得システムを提供する。【解決手段】飲食店に来訪したユーザのユーザ端末からの接続要求を受け付ける受付手段と、飲食店にて提供する商品の一覧をユーザ端末に表示させる表示制御手段と、ユーザ端末から商品の注文を受ける受注手段と、商品の評価に関する情報を、ユーザの挙動から把握する把握手段と、を備えることを特徴とする評価取得システム。【選択図】図３
2019175188.tif 000002
【特許請求の範囲】
【請求項１】
飲食店に来訪したユーザのユーザ端末からの接続要求を受け付ける受付手段と、
前記飲食店にて提供する商品の一覧を前記ユーザ端末に表示させる表示制御手段と、
前記ユーザ端末から前記商品の注文を受ける受注手段と、
前記商品の評価に関する情報を、前記ユーザの挙動から把握する把握手段と、
を備えることを特徴とする評価取得システム。
【請求項２】
前記把握手段は、前記ユーザの発話を録音する録音手段が録音した発話内容に基づいて前記商品の評価に関する情報を把握する
請求項１に記載の評価取得システム。
【請求項３】
前記把握手段は、前記ユーザの表情を撮像する撮像手段が撮影した前記商品を飲食した後の当該ユーザの表情に基づいて当該商品の評価に関する情報を把握する
請求項１に記載の評価取得システム。
【請求項４】
前記把握手段は、前記受注手段が受けた注文に基づいて前記ユーザが飲食した商品を特定する
請求項３に記載の評価取得システム。
【請求項５】
前記把握手段は、録音手段が録音した前記ユーザの発話内容と、撮像手段が撮影した画像とに基づいて前記商品の評価に関する情報を把握する
請求項１に記載の評価取得システム。
【請求項６】
前記把握手段は、前記撮像手段が撮影した画像に基づいて前記ユーザが飲食した商品を特定し、前記録音手段が録音した発話内容に基づいて当該商品の評価を把握する
請求項５に記載の評価取得システム。
【請求項７】
前記把握手段は、前記受注手段が注文を受けた複数の商品の中から選択することで前記ユーザが飲食した商品を特定する
請求項６に記載の評価取得システム。
【発明の詳細な説明】
【技術分野】
【０００１】
本発明は、評価取得システムに関する。
【背景技術】
【０００２】
近年、飲食店の評価情報を提供するシステムが提案されている。
特許文献１に記載された情報提供システムは、飲食店の評価情報をユーザから口コミ情報として受け付け、受け付けた口コミ情報を他のユーザに公開するシステムである。この情報提供システムにおいては、単に口コミ情報を公開するだけでなく、各投稿者から得意地域や得意ジャンルの登録を受け付け、各投稿者が自分の得意地域や得意ジャンルに該当する飲食店に対して投稿した口コミ情報を各投稿者に共通する得意地域や得意ジャンルごとに集計することにより、飲食店をランク付けした地域やジャンルごとの評価ランキングに係る情報を生成することとしている。
【先行技術文献】
【特許文献】
【０００３】
【特許文献１】特開２００７−１９３４２７号公報
【発明の概要】
【発明が解決しようとする課題】
【０００４】
飲食店においては、顧客が美味しいと感じる商品を提供することが望ましい。それゆえ、顧客から、飲食した商品の評価に関する情報を取得し、取得した情報を、その後に調理する際に参考にすることが考えられる。そして、取得する情報は、確度が高いことが望ましい。
本発明は、確度が高い評価に関する情報を取得することができる評価取得システムを提供することを目的とする。
【課題を解決するための手段】
【０００５】
かかる目的のもと完成させた本発明は、飲食店に来訪したユーザのユーザ端末からの接続要求を受け付ける受付手段と、前記飲食店にて提供する商品の一覧を前記ユーザ端末に表示させる表示制御手段と、前記ユーザ端末から前記商品の注文を受ける受注手段と、前記商品の評価に関する情報を、前記ユーザの挙動から把握する把握手段と、を備えることを特徴とする評価取得システムである。
ここで、前記把握手段は、前記ユーザの発話を録音する録音手段が録音した発話内容に基づいて前記商品の評価に関する情報を把握しても良い。
また、前記把握手段は、前記ユーザの表情を撮像する撮像手段が撮影した前記商品を飲食した後の当該ユーザの表情に基づいて当該商品の評価に関する情報を把握しても良い。
また、前記把握手段は、前記受注手段が受けた注文に基づいて前記ユーザが飲食した商品を特定しても良い。
また、前記把握手段は、録音手段が録音した前記ユーザの発話内容と、撮像手段が撮影した画像とに基づいて前記商品の評価に関する情報を把握しても良い。
また、前記把握手段は、前記撮像手段が撮影した画像に基づいて前記ユーザが飲食した商品を特定し、前記録音手段が録音した発話内容に基づいて当該商品の評価を把握しても良い。
また、前記把握手段は、前記受注手段が注文を受けた複数の商品の中から選択することで前記ユーザが飲食した商品を特定しても良い。
【発明の効果】
【０００６】
本発明によれば、確度が高い評価に関する情報を取得することができる評価取得システムを提供することができる。
【図面の簡単な説明】
【０００７】
【図１】実施の形態に係るキャッシュレスシステムの概略構成を例示した図である。
【図２】ユーザ端末の概略構成を例示した図である。
【図３】サーバの機能構成を例示したブロック図である。
【図４】ユーザ端末に表示されるアクセス画面の一例を示す図である。
【図５】ユーザ端末に表示されるメニュー画面の一例を示す図である。
【図６】記憶部が記憶する情報の一例を示す図である。
【図７】ユーザ端末に表示される会計画面の一例を示す図である。
【図８】ユーザ端末に表示されるまとめ会計画面の一例を示す図である。
【図９】ユーザ端末に表示されるまとめ会計時の支払い画面の一例を示す図である。
【図１０】ユーザ端末に表示される端末毎会計時の支払い画面の一例を示す図である。
【図１１】ユーザ端末に表示される同等割会計時の支払い画面の一例を示す図である。
【図１２】ユーザ端末に表示される特殊割会計画面の一例を示す図である。
【図１３】ユーザ端末に表示される特殊割会計時の支払い画面の一例を示す図である。
【図１４】評価把握部の機能構成を例示したブロック図である。
【図１５】評価把握部が行う評価把握処理の手順の一例を示すフローチャートである。
【図１６】店舗端末の機能構成を例示したブロック図である。
【図１７−１】本実施の形態に係るキャッシュレスシステムにおける動作例を示したシーケンス図である。
【図１７−２】本実施の形態に係るキャッシュレスシステムにおける動作例を示したシーケンス図である。
【発明を実施するための形態】
【０００８】
以下、添付図面を参照して、実施の形態について詳細に説明する。
図１は、本実施の形態に係るキャッシュレスシステム１の概略構成を例示した図である。
キャッシュレスシステム１は、ユーザが所有するユーザ端末１０と、飲食店等の店舗にて提供可能なメニューの管理等を行うサーバ２０と、店舗が所有する店舗端末３０と、周知のプリンタ４０とを備えている。また、キャッシュレスシステム１は、マイク６１と、カメラ６２と、通信サーバ６３とを有し、店舗にて提供された商品の評価に関する情報を取得する取得システム６０を備えている。
【０００９】
ユーザ端末１０、サーバ２０、店舗端末３０及び取得システム６０は、装置間を通信可能に接続するネットワーク５０に接続されており、ネットワーク５０を介して互いに通信を行うことが可能となっている。ネットワーク５０は、各システム及び装置の間のデータ通信に用いられる通信ネットワークであれば特に限定されず、例えばＬＡＮ（Local Area Network）、ＷＡＮ（Wide Area Network）、インターネットであることを例示することができる。データ通信に用いられる通信回線は、有線か無線かを問わず、これらを併用しても良い。また、ゲートウェイ装置やルータ等の中継装置を用い、複数のネットワークや通信回線を介して各装置を接続するように構成しても良い。店舗端末３０とプリンタ４０とは、ＬＡＮ、bluetooth（登録商標）や赤外線通信等の無線通信又は有線通信にて、互いに通信可能となっている。また、店舗端末３０とプリンタ４０とは、ＷＡＮ、インターネットにて、互いに通信可能であっても良い。
【００１０】
＜ユーザ端末１０＞
図２は、ユーザ端末１０の概略構成を例示した図である。
ユーザ端末１０は、装置全体を制御する制御部１１と、データ等の記憶に用いられる記憶部１２と、操作受付画面や画像の表示に使用される表示部１３と、ユーザの入力操作を受け付ける操作部１４と、外部装置との通信に用いられる通信部１５とを備えている。また、ユーザ端末１０は、カメラ１６と、スピーカ１７と、マイク１８とを備えている。
【００１１】
制御部１１は、ＣＰＵ（Central Processing Unit）１１ａ、ＲＯＭ（Read Only Memory）１１ｂ、ＲＡＭ（Random Access Memory）１１ｃにより構成される。ＲＯＭ１１ｂには、ＣＰＵ１１ａにより実行される基本プログラム（オペレーションシステム）や各種の設定等が記憶されている。ＣＰＵ１１ａは、ＲＡＭ１１ｃを作業エリアに使用し、ＲＯＭ１１ｂや記憶部１２から読み出したアプリケーションプログラムを実行する。ＣＰＵ１１ａがプログラムを実行することにより、ユーザ端末１０の各部が制御される。
【００１２】
記憶部１２は、半導体メモリなどの記憶装置であることを例示することができる。
表示部１３は、静止画像や動画像等を表示するディスプレイ装置である。表示部１３は、液晶ディスプレイや有機ＥＬ（Electro Luminescence）ディスプレイであることを例示することができる。
操作部１４は、ユーザからの操作を受け付ける入力装置である。操作部１４は、ボタン、スイッチ、タッチパネルであることを例示することができる。
通信部１５は、通信インターフェースであることを例示することができる。
カメラ１６は、静止画又は動画を撮像することができるデジタルカメラであることを例示することができる。
スピーカ１７は、制御部１１からの電気的な音信号を音に変換して出力する装置であることを例示することができる。
マイク１８は、ユーザ端末１０の外部から入力される音を電気的な音信号に変換して制御部１１に出力する装置であることを例示することができる。
【００１３】
以上のように構成されたユーザ端末１０は、多機能携帯電話（所謂「スマートフォン」）、携帯電話（所謂「フィーチャーフォン」）、携帯情報端末（ＰＤＡ）、タブレット端末、タブレットＰＣ、ノートＰＣ等であることを例示することができる。
【００１４】
ユーザ端末１０は、カメラ１６にて、ＱＲコード（登録商標）等のコード情報を読み取ることができる機能を備えている。
また、ユーザ端末１０は、商品又はサービスの対価としてお金を支払う場合に、電子データをやり取りすることで支払いを行う電子決済機能を備えている。電子決済としては、クレジットカード情報を予め登録しておくと、暗証番号の入力等の認証手続きをすることなく、決済可能な、アップルペイ（登録商標）やグーグルウォレット（登録商標）等の電子決済サービス（電子支払いシステム）を利用するものであることを例示することができる（ただし、例えばアップルペイ（登録商標）のように、指紋認証や顔認証は必要であっても良い）。また、電子決済としては、クレジットカード決済サービスや、商品代金を携帯電話の利用料金とまとめて支払うキャリア決済サービスを利用するものであることを例示することができる。
【００１５】
＜サーバ２０＞
図３は、サーバ２０の機能構成を例示したブロック図である。
サーバ２０は、ユーザ端末１０が備える、制御部１１、記憶部１２、表示部１３、操作部１４、通信部１５と同様に、制御部２１、記憶部２２、表示部（不図示）、操作部（不図示）、通信部（不図示）を備えている。記憶部２２は、ＨＤＤ（Hard Disk Drive）であっても良い。
【００１６】
制御部２１は、ＣＰＵ（不図示）、ＲＯＭ（不図示）、ＲＡＭ（不図示）等を有しており、ＣＰＵがプログラムを実行することにより、以下の機能を実現する。
すなわち、制御部２１は、店舗に来訪した一のグループを構成する複数のユーザ（客）が有する複数のユーザ端末１０の各々のユーザ端末１０からの接続要求を受け付ける受付手段の一例としての受信部２１１を有している。また、制御部２１は、受信部２１１が受け付けた接続要求から、各々のユーザ端末１０を一意に特定して識別する識別手段の一例としての識別部２１２を有している。また、制御部２１は、ユーザ端末１０に対して、商品に関する各種情報を有するウェブページを公開するＨＴＭＬ（HyperText Markup Language）文書を生成する生成部２１３を有している。また、制御部２１は、ユーザ端末１０から、店舗にて提供可能な商品の注文を受け付ける受注部２１４と、ユーザ端末１０からなされた注文に対して料金を課す課金手段の一例としての課金部２１５とを有している。また、制御部２１は、コード情報を作成する作成部２１６と、生成部２１３が生成したＨＴＭＬ文書や作成部２１６が作成したコード情報を送信する送信部２１７とを有している。また、制御部２１は、商品の評価に関する情報を把握する評価把握部２２０を有している。
【００１７】
（受信部）
受信部２１１は、ネットワーク５０を介して、ユーザ端末１０から送信されてきた情報を受信する。
ここで、受信部２１１がユーザ端末１０から最初に受信する情報について例示する。
図４は、ユーザ端末１０に表示されるアクセス画面７０の一例を示す図である。
図４に示したアクセス画面７０は、予め発行された後述するコード情報をユーザ端末１０のカメラ１６が読み取った後にユーザ端末１０の表示部１３に表示される画面である。図４に示すように、アクセス画面７０には、予め定められたアドレス７０ａが表示される。
ユーザ端末１０を所有するユーザがアドレス７０ａを押下すると、サーバ２０の受信部２１１は、ユーザ端末１０が予め発行しておいたコード情報を読み取った旨の情報と、ユーザ端末１０の情報とを受信する。
【００１８】
（識別部）
識別部２１２は、受信部２１１が受け付けたユーザ端末１０からの情報に基づいて、ユーザ端末１０を一意に特定して識別する。
上述したようにして、ユーザ端末１０から、予め発行された後述するコード情報を読み取った後に表示されるアドレスにアクセスされると、受信部２１１が、このユーザ端末１０から送信された情報を受信し、識別部２１２が、受信部２１１が受信した情報を解析する。識別部２１２は、ユーザ端末１０から送信された情報に基づいて、ユーザ端末１０は、店舗内のどのエリアに付与しておいたコード情報を読み込んだかを把握する。言い換えれば、識別部２１２は、店舗内の所定のエリアにて、ユーザ端末１０を所有するユーザが飲食することを把握する。なお、エリアは、テーブル毎に、又は、部屋毎に区画された領域であることを例示することができる。
【００１９】
識別部２１２は、エリアの識別番号であるエリア番号と、ユーザ端末１０の識別番号であるユーザ番号とを関連付けて記憶部２２に記憶する。識別部２１２は、一のエリアに関連付けられたコード情報を読み取ることで表示されるアドレスにアクセスしてきたユーザ端末１０がＮ番目である場合には、当該ユーザ端末１０のユーザ番号をＮとする。例えば、識別部２１２は、エリア番号が１であるエリアに関連付けられたコード情報を読み取ることで表示されるアドレスにアクセスしてきたユーザ端末１０が１番目である場合には、当該ユーザ端末１０のユーザ番号を１とする。
【００２０】
また、識別部２１２は、同じエリア（同じエリア番号）に関連付けられたコード情報を読み取ることで表示されるアドレスにアクセスしてきたユーザ端末１０が複数ある場合には、これらのユーザ端末１０を、一のグループを構成する複数のユーザが有する複数のユーザ端末１０であると把握する。
このように、エリア番号に基づくことで、一のエリアにて飲食するグループと、他のエリアにて飲食するグループとを区別することが可能となる。また、識別部２１２がユーザ番号を付与することで、同じエリアにて飲食する複数のユーザを区別することが可能となる。
【００２１】
（生成部）
生成部２１３は、ユーザ端末１０からのアクセスに応じて、店舗にて提供されている商品に関する各種情報を有するウェブページを公開するＨＴＭＬ文書を生成する。
例えば、生成部２１３は、受信部２１１がユーザ端末１０から最初のアクセス（コード情報を読み込んだ後に表示されるアドレス７０ａへのアクセス）を受信した場合に、店舗にて提供可能な商品を表示した画面を表示させるためのＨＴＭＬ文書を生成する。
【００２２】
図５は、ユーザ端末１０に表示されるメニュー画面７１の一例を示す図である。
生成部２１３が生成したメニュー画面７１を表示させるためのＨＴＭＬ文書は、送信部２１７を介してユーザ端末１０に送信される。サーバ２０から送信されたＨＴＭＬ文書を受信したユーザ端末１０においては、制御部１１が、表示部１３の表示画面１３ａにＨＴＭＬ文書に基づく、図５に示したメニュー画面７１を表示させる。
メニュー画面７１には、店舗にて提供される商品毎に、商品名７１ａ、商品画像７１ｂ、商品説明７１ｃ及び「注文」と記載された注文ボタン７１ｄ等が表示される。また、メニュー画面７１には、商品一覧とともに、エリア番号と、ユーザ番号とが表示される。また、メニュー画面７１には、「会計」と記載された会計ボタン７１ｅが表示される。
なお、図５に例示したメニュー画面７１においては、揚げ物、焼物等のカテゴリー毎に、そのカテゴリーに含まれる商品が表示される画面となるように構成されているが、全ての商品を一の画面で表示しても良い。また、一の画面にそのカテゴリーに含まれる全ての商品を表示すると見難くなる場合には、複数の画面にて構成しても良い。
生成部２１３は、メニュー画面７１に表示された会計ボタン７１ｅが押下された場合に、後述する会計画面７２（図７参照）を表示させるためのＨＴＭＬ文書を生成する。
【００２３】
（受注部）
図６は、記憶部２２が記憶する情報の一例を示す図である。
受注部２１４は、ユーザ端末１０からの注文を受け付ける。
受注部２１４は、ユーザ端末１０の表示部１３に表示されたメニュー画面７１において、注文ボタン７１ｄが押下された旨の情報を受信部２１１が受信した場合に、ユーザ端末１０から注文があったことを把握する。
受注部２１４は、注文を受けた商品及びその金額と、注文を行ってきたユーザ端末１０のユーザ番号及びエリア番号とを関連付けて記憶部２２に記憶する。
なお、図６に示すように、エリア番号が１であるエリアに関連付けられたコード情報を読み取ることで表示されるアドレスに、１番目にアクセスしてきたユーザ端末１０をユーザ端末１０Ａ、２番目にアクセスしてきたユーザ端末１０をユーザ端末１０Ｂ、３番目にアクセスしてきたユーザ端末１０をユーザ端末１０Ｃと称す。
また、受注部２１４は、注文を受けた商品、注文を行ったユーザ端末１０のユーザ番号及びエリア番号等の情報を、送信部２１７を介して店舗端末３０に送信する。
【００２４】
（課金部）
課金部２１５は、予め定められた複数の課金方法の中から、ユーザ端末１０において選択された会計方法に応じた課金方法にて、ユーザ端末１０に課金する。また、課金部２１５は、ユーザ端末１０を用いて支払うべき金額を、送信部２１７を介して、当該ユーザ端末１０に対して送信する。
【００２５】
複数の課金方法の中には、一のエリアで飲食された全商品（全ユーザ端末１０を介して注文された商品の全て）の合計金額を、一のユーザ端末１０に対して課金するまとめ課金方法がある。
また、複数の課金方法の中には、ユーザ端末１０を介して注文された商品のみの合計金額を、当該ユーザ端末１０に対して課金する端末毎課金方法がある。
また、複数の課金方法の中には、一のエリアで飲食された全商品（全ユーザ端末１０を介して注文された商品の全て）の合計金額を、当該一のエリアに関連付けて記憶されているユーザ端末１０の数にて同等割した金額を、各ユーザ端末１０に対して課金する同等割課金方法がある。
また、複数の課金方法の中には、一のエリアで飲食された全商品（全ユーザ端末１０を介して注文された商品の全て）の合計金額を、ユーザが入力した割合で分割した金額を、各ユーザ端末１０に対して課金する特殊割課金方法がある。
【００２６】
言い換えれば、ユーザ端末１０を有するユーザは、予め定められた複数の会計方法の中から、一の会計方法を選択可能である。複数の会計方法の中には、一のエリアで飲食した全商品（全ユーザ端末１０を介して注文した商品の全て）の合計金額を、一のユーザ端末１０を用いて支払うまとめ会計方法がある。また、複数の会計方法の中には、ユーザ端末１０を介して注文した商品のみの合計金額を、当該ユーザ端末１０を用いて支払う端末毎会計方法がある。ユーザが、まとめ会計方法、端末毎会計方法を選択した場合には、サーバ２０は、それぞれ、まとめ課金方法、端末毎課金方法にて課金する。
【００２７】
また、複数の会計方法の中には、一のエリアで飲食した全商品の合計金額を、当該一のエリアに関連付けて記憶されているユーザ端末１０の数にて同等割した金額を、各ユーザ端末１０を用いて支払う同等割会計方法がある。
また、複数の会計方法の中には、一のエリアで飲食した全商品の合計金額を、ユーザが入力した割合で分割した金額を、各ユーザ端末１０を用いて支払う特殊割会計方法がある。ユーザが、同等割会計方法、特殊割会計方法を選択した場合には、サーバ２０は、それぞれ、同等割課金方法、特殊割課金方法にて課金する。
【００２８】
図７は、ユーザ端末１０に表示される会計画面７２の一例を示す図である。
会計画面７２は、図５に示したメニュー画面７１に表示された会計ボタン７１ｅが押下された場合に表示される。会計画面７２には、「まとめ会計」と記載されたまとめ会計ボタン７２ａと、「端末毎会計」と記載された端末毎会計ボタン７２ｂと、「同等割会計」と記載された同等割会計ボタン７２ｃと、「特殊割会計」と記載された特殊割会計ボタン７２ｄとが表示される。
【００２９】
図８は、ユーザ端末１０に表示されるまとめ会計画面７３の一例を示す図である。
まとめ会計画面７３は、まとめ会計ボタン７２ａが押下された場合に表示される。まとめ会計画面７３には、どのユーザ端末１０を用いて支払うかを選択するためのボタンとして、ユーザ番号が記載されたボタンがユーザ端末１０の数の分だけ表示される。例えば、エリア番号が１であるエリアにて登録されたユーザ端末１０が３個である場合には、図８に示すように、「ユーザ番号：１」、「ユーザ番号：２」、「ユーザ番号：３」と記載された３つのユーザ番号ボタン７３ａが表示される。
【００３０】
図９は、ユーザ端末１０に表示されるまとめ会計時の支払い画面７４の一例を示す図である。
支払い画面７４は、まとめ会計画面７３にていずれかのユーザ番号ボタン７３ａが押下された場合に表示される。
図８に示したまとめ会計画面７３において、例えば「ユーザ番号：２」と記載されたユーザ番号ボタン７３ａが押下された場合には、サーバ２０の課金部２１５は、ユーザ番号が２であるユーザ端末１０を用いてまとめ会計が行われると判断する。そして、課金部２１５は、ユーザ番号が２であるユーザ端末１０に対して、合計金額等の情報を含んだＨＴＭＬ文書を、送信部２１７を介して送信する。その結果、ユーザ端末１０の表示部１３には、図９に示した支払い画面７４が表示される。支払い画面７４には、当該ユーザ端末１０を用いて支払うべき金額（例えば12,000円）が請求金額として表示されるとともに、「確認」と記載された確認ボタン７４ａが表示される。ユーザが、支払い画面７４に表示された確認ボタン７４ａを押下することにより、上述した電子決済サービスを利用して支払いが完了する。つまり、課金部２１５は、確認ボタン７４ａが押下された旨の情報を取得した場合には、ユーザ端末１０において選択された電子決済サービスに応じた所定の決済処理を実行する。そして、課金部２１５は、所定の決済処理を実行した場合には、支払いが完了した旨の通知をユーザ端末１０に対して送信しても良い。なお、ユーザ端末１０が例えばクレジットカード決済サービスやキャリア決済サービスを利用する場合であって、認証手続きが必要なサービスを利用する場合には、課金部２１５は、ユーザ端末１０において所定の認証手続きが行われた後に決済処理を実行する。
【００３１】
図１０は、ユーザ端末１０に表示される端末毎会計時の支払い画面７５の一例を示す図である。図１０（ａ）には、ユーザ端末１０Ａの表示部１３に表示される支払い画面７５を例示し、図１０（ｂ）には、ユーザ端末１０Ｂの表示部１３に表示される支払い画面７５を例示し、図１０（ｃ）には、ユーザ端末１０Ｃの表示部１３に表示される支払い画面７５を例示している。
図７に示した会計画面７２において、端末毎会計ボタン７２ｂが押下された場合には、サーバ２０の課金部２１５は、各ユーザ端末１０を介して注文された商品のみの合計金額等の情報を含んだＨＴＭＬ文書を、送信部２１７を介して送信する。その結果、各ユーザ端末１０の表示部１３には、図１０に例示したように、当該ユーザ端末１０を用いて支払うべき金額（当該ユーザ端末１０を介して注文された商品のみの合計金額（図１０においては、ユーザ端末１０Ａが3,000円、ユーザ端末１０Ｂが4,000円、ユーザ端末１０Ｃが5,000円）が請求金額として表示されるとともに、「確認」と記載された確認ボタン７４ａが表示される。ユーザが、表示部１３に表示された確認ボタン７４ａを押下することにより支払いが完了する。確認ボタン７４ａが押下された後の課金部２１５の処理は、上述した通りである。
【００３２】
図１１は、ユーザ端末１０に表示される同等割会計時の支払い画面７６の一例を示す図である。図１１（ａ）には、ユーザ端末１０Ａの表示部１３に表示される支払い画面７６を例示し、図１１（ｂ）には、ユーザ端末１０Ｂの表示部１３に表示される支払い画面７６を例示し、図１１（ｃ）には、ユーザ端末１０Ｃの表示部１３に表示される支払い画面７６を例示している。
図７に示した会計画面７２において、同等割会計ボタン７２ｃが押下された場合には、サーバ２０の課金部２１５は、一のエリアで飲食された全商品（全ユーザ端末１０を介して注文された商品の全て）の合計金額を、ユーザ端末１０の数にて同等割した金額等の情報を含んだＨＴＭＬ文書を、送信部２１７を介して全ユーザ端末１０に送信する。その結果、各ユーザ端末１０の表示部１３には、図１１に例示したように、当該ユーザ端末１０を用いて支払うべき金額（合計金額を同等割した金額（所謂、割り勘した金額））が請求金額として表示されるとともに、「確認」と記載された確認ボタン７４ａが表示される。ユーザが、表示部１３に表示された確認ボタン７４ａを押下することにより支払いが完了する。確認ボタン７４ａが押下された後の課金部２１５の処理は、上述した通りである。
【００３３】
図１２は、ユーザ端末１０に表示される特殊割会計画面７７の一例を示す図である。
特殊割会計画面７７は、図７に示した会計画面７２にて特殊割会計ボタン７２ｄが押下された場合に表示される。特殊割会計画面７７には、全てのユーザ番号が表示されるとともに、各ユーザ番号の横に、当該ユーザ番号のユーザ端末１０の割合を入力する入力欄７７ａと、当該入力欄７７ａに入力する数字を増加させる増加ボタン７７ｂと、当該入力欄７７ａに入力する数字を減少させる減少ボタン７７ｃとがユーザ端末１０の数の分だけ表示される。また、特殊割会計画面７７には、全ての入力欄７７ａに入力する数字の合計が１０となるように入力することを促すために、「合計が１０となるように入力してください。」と表示される。また、特殊割会計画面７７には、「決定」と記載された決定ボタン７７ｄが表示される。
図１２に示した特殊割会計画面７７は、ユーザ番号１に対する割合を５、ユーザ番号２に対する割合を３、ユーザ番号２に対する割合を２とする場合の入力例である。
【００３４】
図１３は、ユーザ端末１０に表示される特殊割会計時の支払い画面７８の一例を示す図である。
特殊割会計画面７７において、全ユーザ端末１０の割合が入力され、決定ボタン７７ｄが押下された場合には、サーバ２０の課金部２１５は、一のエリアで飲食した全商品（全ユーザ端末１０を介して注文した商品の全て）の合計金額を、ユーザが入力した割合で分割した金額等の情報を含んだＨＴＭＬ文書を、送信部２１７を介して全ユーザ端末１０に送信する。例えば、課金部２１５は、図１２の特殊割会計画面７７に例示したように、ユーザ番号１の割合が５、ユーザ番号２の割合が３、ユーザ番号３の割合が２である場合には、合計金額に５／１０を乗算した金額等の情報を含んだＨＴＭＬ文書を、送信部２１７を介してユーザ番号１のユーザ端末１０Ａに対して送信する。また、課金部２１５は、合計金額に３／１０を乗算した金額等の情報を含んだＨＴＭＬ文書を、ユーザ番号２のユーザ端末１０Ｂに対して送信する。また、課金部２１５は、合計金額に２／１０を乗算した金額等の情報を含んだＨＴＭＬ文書を、ユーザ番号３のユーザ端末１０Ｃに対して送信する。
【００３５】
その結果、各ユーザ端末１０の表示部１３には、図１３に示した支払い画面７８が表示される。支払い画面７８には、各ユーザ端末１０を用いて支払うべき金額が請求金額として表示される（金額は入力された割合に応じた値となる）とともに、「確認」と記載された確認ボタン７４ａが表示される。ユーザが、支払い画面７８に表示された確認ボタン７４ａを押下することにより支払いが完了する。確認ボタン７４ａが押下された後の課金部２１５の処理は、上述した通りである。
【００３６】
（作成部）
作成部２１６は、店舗に予め定められたエリア毎に、当該エリアのエリア番号を含むコード情報を作成する。ユーザ端末１０が、作成部２１６が作成したコード情報を読み取った後に表示されるアドレスにアクセスすることで、識別部２１２はどのエリアに配置されたコード情報を読み込んでアクセスしてきたかを把握することができる。
作成部２１６は、あるエリアにて飲食し終え、支払いが完了したことを把握した後に、当該エリアのコード情報を新たに作成する。支払いが完了したことは、例えば、課金部２１５が決済処理を実行した旨の情報を取得することにより把握することができる。また、作成部２１６は、店舗の従業員の指示に従ってコード情報を作成しても良い。従業員は、あるエリアにて飲食し終えたグループが店舗を出たことを確認した後にコード情報を作成しても良いし、営業が始まる前に当日必要と考えられる数のコード情報を作成しても良い。
作成部２１６は、作成したコード情報を含む情報を、送信部２１７を介して店舗端末３０に送信する。店舗端末３０からの指示に基づいて、プリンタ４０が、例えば用紙にコード情報を含む画像を形成し、出力する（プリントアウトする）。
なお、エリアは、テーブル毎に、又は、部屋毎に区画されていることを例示することができる。ただし、テーブル又は部屋毎にコード情報を含む画像が形成された用紙を配置しておいたとしても、一のグループを構成する人数が、テーブル又は部屋毎に許容される人数を超える場合には、複数のエリアを利用する複数人で一のコード情報を共有させても良い。
【００３７】
（送信部）
送信部２１７は、生成部２１３が生成したＨＴＭＬ文書をユーザ端末１０に送信する。例えば、送信部２１７は、メニュー画面７１を表示させるためのＨＴＭＬ文書をユーザ端末１０に送信する。
また、送信部２１７は、ユーザ端末１０から注文を受けた商品、注文を行ったユーザ端末１０のユーザ番号及びエリア番号等の情報を、店舗端末３０に送信する。
また、送信部２１７は、作成部２１６が作成したコード情報を含む情報を、店舗端末３０に送信する。
また、送信部２１７は、評価把握部２２０が把握した、一の商品に対する評価を、店舗端末３０に送信する。
【００３８】
（評価把握部）
図１４は、評価把握部２２０の機能構成を例示したブロック図である。
評価把握部２２０は、取得システム６０のマイク６１により収録された人の音声を解析する音声解析部２２１と、取得システム６０のカメラ６２により撮影された撮影画像を解析する画像解析部２２２とを有している。また、評価把握部２２０は、音声解析部２２１が解析した音声及び画像解析部２２２が解析した画像の少なくともいずれかに基づいて、商品の評価に関する情報を導出する評価導出部２２３を有している。
【００３９】
≪音声解析部≫
音声解析部２２１は、取得システム６０から取得された情報のうち、マイク６１により収録された音響情報を解析する。音声解析部２２１は、収録された音響情報を解析し、人の音声を識別する。そして、音声解析部２２１は、人の音声を解析して発話内容を認識し、テキスト化する。より具体的には、音声解析部２２１は、先ず、マイク６１により収録された音響情報から一続きの音声に相当する発話の内容及び発話区間（開始時刻と終了時刻）を検出し、次に各発話の内容をテキスト化する。音声解析部２２１は、「美味しい」、「美味しくない」、「まずい」、「味が濃い」、「味が薄い」、「冷えている」、「ぬるい」等の評価に関する情報と、商品に関する情報のみを認識し、テキスト化しても良い。
音声解析部２２１は、どのエリアのどの位置に設置されたマイク６１が収録した発話内容であるかも認識する。また、音声解析部２２１は、一のエリアのどのユーザが発生した音声であるかも認識する。
【００４０】
≪画像解析部≫
画像解析部２２２は、取得システム６０から取得された情報のうち、カメラ６２により撮影された撮影画像を解析する。画像解析部２２２は、撮影画像を解析し、撮影された領域を３次元空間として認識する。また、画像解析部２２２は、撮影された対象物のうち人物と人物以外の物とを識別する。画像解析による人物やその他の物の識別は、画像認識に係る既存技術を用いて行うことができる。また、画像解析部２２２は、どのエリアを撮影した画像であるかも認識する。また、画像解析部２２２は、一のエリアのどのユーザを撮影した画像であるかも認識する。
【００４１】
また、画像解析部２２２は、人物の撮影画像から輪郭検出などを行うことによって、ユーザの顔を検出し、目、鼻、口等の顔の各部の特徴量を抽出する。そして、画像解析部２２２は、撮影画像から抽出した特徴量と、認識用データとして与えられている、笑顔時の目、鼻、口等の顔の各部の特徴量とを比較し、一致度が閾値以上である場合、ユーザの表情が笑顔であると認識する。他方、画像解析部２２２は、撮影画像から抽出した特徴量と、認識用データとして与えられている特徴量とを比較し、一致度が閾値未満である場合、ユーザの表情が笑顔ではないと認識する。つまり、画像解析部２２２において認識される笑顔は、撮影画像から抽出された顔の各部の特徴が、笑顔の認識機能の開発時等に笑顔が写っている画像として選択された画像から抽出された顔の特徴と閾値以上一致する表情である。また、画像解析部２２２は、認識した笑顔が撮影された時刻を認識する。
【００４２】
また、画像解析部２２２は、撮影画像から抽出した特徴量と、認識用データとして与えられている、怒り顔時の目、鼻、口等の顔の各部の特徴量とを比較し、一致度が閾値以上である場合、ユーザの表情が怒り顔であると認識する。他方、画像解析部２２２は、撮影画像から抽出した特徴量と、認識用データとして与えられている特徴量とを比較し、一致度が閾値未満である場合、ユーザの表情が怒り顔ではないと認識する。つまり、画像解析部２２２において認識される怒り顔は、撮影画像から抽出された顔の各部の特徴が、怒り顔の認識機能の開発時等に怒り顔が写っている画像として選択された画像から抽出された顔の特徴と閾値以上一致する表情である。また、画像解析部２２２は、認識した怒り顔が撮影された時刻を認識する。
【００４３】
また、画像解析部２２２は、人物以外の物の撮影画像から商品を検出し、商品の特徴量を抽出する。そして、画像解析部２２２は、撮影画像から抽出した特徴量と、認識用データとして与えられている各商品の特徴量とを比較し、一致度が閾値以上であるか否かで商品を特定する。つまり、画像解析部２２２において認識される商品は、撮影画像から抽出された商品の特徴が、商品の認識機能の開発時等に商品が写っている画像として選択された画像から抽出された商品の特徴と閾値以上一致する商品である。また、画像解析部２２２は、認識した商品が撮影された時刻を認識する。
【００４４】
画像解析部２２２は、撮影画像から商品を特定する際に、受注部２１４が注文を受けていた商品に基づいても良い。画像解析部２２２は、例えば、撮影画像から商品を特定するときに、受注部２１４が一のグループから注文を受けていた商品が１つである場合には、撮影画像から抽出した特徴量と、受注部２１４が注文を受けていた１つの商品の特徴量とを最初に比較すると良い。撮影画像から商品を特定するときに、受注部２１４が一のグループから注文を受けていた商品が複数ある場合には、撮影画像から抽出した特徴量と、受注部２１４が注文を受けていた複数の商品の特徴量を、注文を受けていない商品の特徴量よりも先に比較すると良い。受注部２１４が注文を受けていた商品を考慮することで、受注部２１４が注文を受けていた商品を考慮しない場合よりも、迅速かつ精度高く商品を特定することが可能となる。
また、画像解析部２２２は、表情を特定した場合には、その商品を飲食したユーザを特定する。
【００４５】
≪評価導出部≫
評価導出部２２３は、音声解析部２２１が解析した音声及び画像解析部２２２が解析した画像の少なくともいずれかに基づいて、商品の評価に関する情報を導出する。
評価導出部２２３は、音声解析部２２１が認識し、テキスト化している一のユーザの発話内容から、一の商品に対する評価に関する情報を導出可能である場合には、音声解析部２２１による解析結果を用いて一の商品に対する評価に関する情報を導出する。例えば、評価導出部２２３は、音声解析部２２１が、「この揚げ出し豆腐、美味しい。」との、「揚げ出し豆腐」と「美味しい」とが連続した発話内容を認識し、テキスト化している場合には、「揚げ出し豆腐」に対する評価が「美味しい」ことを導出する。また、評価導出部２２３は、音声解析部２２１が、「この生ビール、ぬるい」との発話内容を認識し、テキスト化している場合には、「生ビール」に対する評価が「ぬるい」であることを導出する。
【００４６】
評価導出部２２３は、画像解析部２２２が認識した一のユーザの表情及び当該一のユーザが飲食した商品から、一の商品に対する評価に関する情報を導出可能である場合には、画像解析部２２２による解析結果を用いて一の商品に対する評価に関する情報を導出する。例えば、評価導出部２２３は、画像解析部２２２がユーザの笑顔を認識するとともに笑顔になった商品が「揚げ出し豆腐」であることを特定している場合には、「揚げ出し豆腐」に対する評価が「笑顔」であることを導出する。「笑顔」は、「良い」意味であるとして、「揚げ出し豆腐」に対する評価が「良い」ことを導出しても良い。また、評価導出部２２３は、画像解析部２２２がユーザの怒り顔を認識するとともに怒り顔になった商品が「ビール」であることを特定している場合には、「ビール」に対する評価が「怒り顔」であることを導出する。「怒り顔」は、「悪い」意味であるとして、「ビール」に対する評価が「悪い」ことを導出しても良い。
【００４７】
評価導出部２２３は、音声解析部２２１が認識している一のユーザの発話内容から、ある商品に対する評価に関する情報を導出可能であるが、その評価の対象の商品を特定できない場合には、他の人物の発話内容を用いて対象商品を特定する。例えば、評価導出部２２３は、音声解析部２２１が、「これ美味しい」との発話内容を認識している場合には、ある商品に対する評価が「美味しい」ことを導出する。そして、音声解析部２２１が認識している一のユーザの発話内容では「美味しい」との評価の対象商品を特定できない場合には、一のユーザが「美味しい」と発声した前後の他の人物の発話内容を用いて商品を特定する。例えば、当該一のユーザが「美味しい」と発声する直前に、他のユーザが「揚げ出し豆腐の味どう？」と発声していることを音声解析部２２１が認識した場合には、評価導出部２２３は、「揚げ出し豆腐」に対する評価が「美味しい」ことを導出する。また、当該一のユーザが「美味しい」と発声する直前に、配膳人が例えば「揚げ出し豆腐です。」と発声したことを音声解析部２２１が認識した場合には、評価導出部２２３は、「揚げ出し豆腐」に対する評価が「美味しい」ことを導出する。一のユーザが「美味しい」と発声した時刻と、他のユーザが「揚げ出し豆腐の味どう？」と発声した時刻又は配膳人が「揚げ出し豆腐です。」と発声した時刻とを参照することで、「美味しい」との評価の対象商品が「揚げ出し豆腐」であることを特定することができる。
【００４８】
また、評価導出部２２３は、音声解析部２２１が認識している一のユーザの発話内容から、ある商品に対する評価に関する情報を導出可能であるが、その評価の対象の商品を特定できない場合には、画像解析部２２２が認識した商品を用いて商品を特定する。例えば、評価導出部２２３は、音声解析部２２１が、「美味しい」との発話内容を認識している場合には、ある商品に対する評価が「美味しい」ことを導出する。そして、音声解析部２２１が認識している発話内容では「美味しい」との評価の対象商品を特定できない場合には、「美味しい」と発声したユーザが「美味しい」と発声する直前に飲食した商品を画像解析部２２２が認識した商品を用いて商品を特定する。「美味しい」と発声した時刻と商品を飲食した時刻とを参照することで、「美味しい」との評価の対象商品を特定することができる。
【００４９】
また、評価導出部２２３は、画像解析部２２２が認識した一のユーザの表情から、商品に対する評価に関する情報を導出可能であるが、画像解析部２２２が解析した画像からはその評価の対象の商品を特定できない場合には、発話内容を用いて対象商品を特定する。例えば、一のユーザが評価に関連する表情となった直後に、他のユーザが「揚げ出し豆腐の味どう？」と発声していることを音声解析部２２１が認識した場合には、評価導出部２２３は、評価の対象の商品が「揚げ出し豆腐」であると特定する。また、一のユーザが評価に関連する表情となった直前に、配膳人が例えば「揚げ出し豆腐です。」と発声したことを音声解析部２２１が認識した場合には、評価導出部２２３は、評価の対象の商品が「揚げ出し豆腐」であると特定する。また、一のユーザが評価に関連する表情となった直前に、当該一のユーザが例えば「揚げ出し豆腐を頂きます。」と発声したことを音声解析部２２１が認識した場合には、評価導出部２２３は、評価の対象の商品が「揚げ出し豆腐」であると特定する。一のユーザが評価に関連する表情（例えば笑顔）となった時刻と、他のユーザが「揚げ出し豆腐の味どう？」と発声した時刻、配膳人が「揚げ出し豆腐です。」と発声した時刻又は一のユーザが「揚げ出し豆腐を頂きます。」と発声した時刻とを参照することで、評価の対象商品が「揚げ出し豆腐」であることを特定することができる。
【００５０】
また、評価導出部２２３は、発話内容や撮影画像から商品を特定する際に、受注部２１４が注文を受けていた商品に基づいても良い。評価導出部２２３は、例えば、「ステーキ美味しい。」と発声していることを音声解析部２２１が認識したとしても、受注部２１４がこのグループからステーキの注文を受けていない場合には、店舗にて提供した商品に対する評価ではないと判断し、評価を導出しないようにしても良い。
【００５１】
評価導出部２２３は、一の商品に対する評価を導出した場合には、商品名と評価に関する情報とを関連付けて記憶部２２に記憶する。上述した例では、評価導出部２２３は、「揚げ出し豆腐」と、「美味しい」とを関連付けて記憶部２２に記憶する。また、評価導出部２２３は、「揚げ出し豆腐」と、「笑顔」又は「良い」とを関連付けて記憶部２２に記憶する。また、評価導出部２２３は、「ビール」と、「怒り顔」又は「悪い」とを関連付けて記憶部２２に記憶する。
また、評価導出部２２３は、一の商品に対する評価を導出した場合には、商品名と評価に関する情報とを関連付けて送信部２１７を介して店舗端末３０に送信する。
【００５２】
次に、フローチャートを用いて、評価把握部２２０が行う評価把握処理の手順の一例について説明する。
図１５は、評価把握部２２０が行う評価把握処理の手順の一例を示すフローチャートである。
評価把握部２２０は、この評価把握処理を、予め定めた期間（例えば１ミリ秒）毎に繰り返し実行する。
【００５３】
評価把握部２２０は、ユーザの発話内容に評価に関する情報が含まれているか否かを判別する（ステップ（以下「Ｓ」と称する場合もある。）１５０１）。これは、評価導出部２２３が、音声解析部２２１が認識したユーザの発話内容に基づいて判別する処理であり、発話内容の中に、例えば「美味しい」や「美味しくない」等の評価に関する情報が含まれているか否かを判別する処理である。そして、評価に関する情報が含まれている場合（Ｓ１５０１でＹｅｓ）、その評価の対象の商品を、一のユーザの発話内容から特定可能であるか否かを判別する（Ｓ１５０２）。例えば、音声解析部２２１が認識した一のユーザの発話内容が、「この揚げ出し豆腐、美味しい。」等、Ｓ１５０１で含まれていると判断した評価に関する情報と商品名とが連続した一文である場合には、評価の対象の商品を特定可能であると判定する。そして、評価の対象の商品を特定可能である場合（Ｓ１５０２でＹｅｓ）、商品名と評価に関する情報とを関連付けて記憶部２２に記憶する（Ｓ１５０３）。また、評価把握部２２０は、記憶部２２に記憶するとともに、商品名と評価に関する情報とを関連付けて送信部２１７を介して店舗端末３０に送信しても良い。
【００５４】
他方、評価の対象の商品を特定可能ではない場合（Ｓ１５０２でＮｏ）、評価把握部２２０は、他のユーザの発話内容から商品を特定可能であるか又は画像解析部２２２が認識した画像に基づいて商品を特定可能であるか等、他の手段により商品を特定可能であるか否かを判別する（Ｓ１５０４）。そして、評価の対象の商品を特定可能である場合（Ｓ１５０４でＹｅｓ）、評価把握部２２０は、記憶部２２に記憶するとともに、商品名と評価に関する情報とを関連付けて記憶部２２に記憶する（Ｓ１５０３）。
【００５５】
一方、評価に関する情報が含まれていない場合（Ｓ１５０１でＮｏ）、画像解析部２２２が認識した画像を用いて評価に関する情報を取得可能であるか否かを判別する（ステップ（Ｓ１５０５）。これは、評価導出部２２３が、画像解析部２２２が認識したユーザの表情に基づいて判別する処理であり、例えば、商品を飲食した直後のユーザの表情が「笑顔」や「怒り顔」であるか否かを判別する処理である。そして、評価に関する情報が含まれている場合（Ｓ１５０５でＹｅｓ）、その評価の対象の商品を、評価に関する情報を取得した画像に映っているユーザ（例えば「笑顔」であったユーザ）が飲食する前後の画像から特定可能であるか否かを判別する（Ｓ１５０６）。そして、評価の対象の商品を特定可能である場合（Ｓ１５０６でＹｅｓ）、評価把握部２２０は、記憶部２２に記憶するとともに、商品名と評価に関する情報とを関連付けて記憶部２２に記憶する（Ｓ１５０３）。
【００５６】
他方、評価の対象の商品を特定可能ではない場合（Ｓ１５０６でＮｏ）、評価把握部２２０は、評価に関する情報を取得した画像に映っているユーザ（例えば「笑顔」であったユーザ）又は他のユーザの発話内容から商品を特定可能であるか否かを判別する（Ｓ１５０７）。そして、評価の対象の商品を特定可能である場合（Ｓ１５０７でＹｅｓ）、評価把握部２２０は、記憶部２２に記憶するとともに、商品名と評価に関する情報とを関連付けて記憶部２２に記憶する（Ｓ１５０３）。
【００５７】
＜店舗端末３０＞
図１６は、店舗端末３０の機能構成を例示したブロック図である。
店舗端末３０は、ユーザ端末１０が備える、制御部１１、記憶部１２、表示部１３、操作部１４、通信部１５、スピーカ１７に相当する、制御部３１、記憶部（不図示）、表示部３３、操作部（不図示）、通信部（不図示）、スピーカ３７を備えている。
店舗端末３０は、携帯情報端末（ＰＤＡ）、タブレット端末、タブレットＰＣ、ノートＰＣ、デスクトップＰＣ等であることを例示することができる。
店舗端末３０は、例えば、店舗の厨房に配置されていることを例示することができる。
【００５８】
制御部３１は、ＣＰＵ（不図示）、ＲＯＭ（不図示）、ＲＡＭ（不図示）等を有しており、ＣＰＵがプログラムを実行することにより、以下の機能を実現する。
すなわち、制御部３１は、サーバ２０から、商品の注文を受け付けた旨の情報等を取得する取得部３１１を有している。また、制御部３１は、表示部３３を制御する表示制御部３１２と、スピーカ３７を制御する音響制御部３１３と、プリンタ４０に画像を出力させる出力部３１４とを備えている。
【００５９】
取得部３１１は、サーバ２０から、商品の注文に関する情報である、注文を受けた商品、注文を行ったユーザ端末１０のユーザ番号及びエリア番号等を取得する。
表示制御部３１２は、取得部３１１が取得した注文に関する情報を表示部３３の表示画面に表示させるように表示部３３を制御する。例えば、表示制御部３１２は、注文を受けた商品名や商品番号、当該注文を行ったユーザ番号及びエリア番号を、表示部３３の表示画面に表示させる。
【００６０】
音響制御部３１３は、取得部３１１が取得した注文に関する情報についての音を出力させるようにスピーカ３７を制御する。例えば、音響制御部３１３は、注文を受けた商品名や商品番号、当該注文を行ったユーザ番号及びエリア番号を、スピーカ３７から音声出力させる。
出力部３１４は、取得部３１１が取得した注文に関する情報である、注文を受けた商品名や商品番号、当該注文を行ったユーザ番号及びエリア番号の画像をプリンタ４０に出力させる。また、出力部３１４は、サーバ２０の作成部２１６が作成したコード情報と、当該コード情報に関連付けられているエリア番号の画像をプリンタ４０に出力させる。
【００６１】
商品名、商品番号、ユーザ番号、エリア番号等が、表示部３３の表示画面に表示されることにより、又は、スピーカ３７から音声が出力されることにより、調理人は、商品の注文を受けたことを把握することが可能となり、配膳人は、当該商品を、注文を行ったエリアに届けることが可能となる。また、プリンタ４０により出力された、商品名、商品番号、ユーザ番号、エリア番号等が記載された紙を見ることにより、調理人は、商品の注文を受けたことを把握することが可能となり、配膳人は、当該商品を、注文を行ったエリアに届けることが可能となる。
なお、コード情報等が記載された紙は、店舗の従業員（例えば配膳人）にて、該当するエリアに配置される。
【００６２】
また、取得部３１１は、サーバ２０から、商品の評価に関する情報等を取得する。
表示制御部３１２は、取得部３１１が取得した商品の評価に関する情報を表示部３３の表示画面に表示させるように表示部３３を制御しても良い。
音響制御部３１３は、取得部３１１が取得した評価に関する情報についての音を出力させるようにスピーカ３７を制御しても良い。
出力部３１４は、取得部３１１が取得した評価に関する情報の画像をプリンタ４０に出力させてもよい。
【００６３】
商品名と、その商品の評価に関する情報等が、表示部３３の表示画面に表示されることにより、又は、スピーカ３７から音声が出力されることにより、店舗の従業員は、商品の評価を把握することが可能となる。また、プリンタ４０により出力された、商品名と、その商品の評価に関する情報等が記載された紙を見ることにより、店舗の従業員は、商品の評価を把握することが可能となる。
商品名と、その商品の評価に関する情報等を、表示制御部３１２が表示部３３に表示させること、音響制御部３１３がスピーカ３７から音声を出力させること、及び、出力部３１４がプリンタ４０に出力させることは、店舗の従業員からの要求に応じて行っても良い。
【００６４】
＜取得システム６０＞
取得システム６０は、マイク６１と、カメラ６２と、通信サーバ６３とを備える。マイク６１及びカメラ６２は、通信サーバ６３に接続されている。通信サーバ６３は、さらにネットワーク５０を介してサーバ２０と接続される。マイク６１及びカメラ６２と通信サーバ６３、及び、通信サーバ６３とサーバ２０は、ＬＡＮ、bluetooth（登録商標）や赤外線通信等の無線通信又は有線通信にて、互いに通信可能となっていても良い。
【００６５】
マイク６１は、情報としての音（音響情報）を収録する録音装置である。マイク６１としては、収録しようとする場所や音響情報の種類等に応じて種々の特性や構成を有するものを用いて良い。マイク６１により収録された音響情報は、デジタル・データとして通信サーバ６３へ送られる。マイク６１は、店舗に設けられた全てのエリアの発話を録音可能なように複数設けられていることを例示することができる。また、マイク６１は、一のエリアにて飲食する複数のユーザ全ての発話を録音可能なように複数設けられていることを例示することができる。
【００６６】
カメラ６２は、店舗内の画像を取得する撮像装置である。カメラ６２により取得された画像は、デジタル・データとして通信サーバ６３へ送られる。カメラ６２により取得される画像は、動画および静止画のいずれであっても良い。カメラ６２としては、使用環境に応じて種々の構成のものを用いて良い。例えば、可搬型のカメラであっても良いし、固定カメラであっても良い。また、周囲の広い空間の画像を取得する広角カメラや全周カメラ、特定の対象物や場所を様々な角度で撮影する複数のカメラ群等を用いても良い。カメラ６２は、一のエリアにて飲食する複数のユーザや、一のエリアに設置されたテーブルに置かれた商品を全て撮影可能なように複数設けられていることを例示することができる。
【００６７】
通信サーバ６３は、マイク６１及びカメラ６２により取得した情報をサーバ２０へ送信する通信制御装置である。通信サーバ６３は、例えば、携帯情報端末（ＰＤＡ）、タブレット端末、タブレットＰＣ、ノートＰＣ、デスクトップＰＣ等であることを例示することができる。また、マイク６１及びカメラ６２（以下、これらをまとめて「情報取得デバイス」と称する場合がある。）が接続されたＬＡＮを構成するルータに情報処理機能および通信制御機能を持たせたものを用いても良い。さらに、ネットワーク５０に接続する機能及び情報処理機能を備えた各種の情報機器（テレビ受像機やファクシミリ装置等）を用いても良い。
【００６８】
通信サーバ６３は、設定に応じて、各情報取得デバイスから情報を収集する。具体的には、常時連続的に情報を取得しても良いし、一定の時間間隔で断続的に情報を取得しても良いし、予め定められた事象（イベント）が発生したことを契機（トリガー）として情報を取得しても良い。情報取得デバイスからプッシュ型通信で情報を送っても良いし、通信サーバ６３から情報取得デバイスへ問い合わせるプル型通信で情報を取得しても良い。通信が衝突（コリジョン）しない範囲において、個々の情報取得デバイスごとに異なる方式や態様で通信サーバ６３へ情報を送るように構成しても良い。予め定められた事象（イベント）としては、各情報取得デバイスが取得対象のエリアを利用して飲食するユーザによりサーバ２０の受注部２１４が注文を受けたことを例示することができる。そして、通信サーバ６３は、各情報取得デバイスが取得対象のエリアを利用して飲食するユーザが店舗を退出したときに取得を終了しても良い。
【００６９】
また、通信サーバ６３は、設定に応じて、取得した情報をサーバ２０へ送信する。具体的には、常時サーバ２０と接続して連続的に情報を送信しても良いし、一定の時間間隔で断続的にサーバ２０と接続して情報を送信しても良い。また、予め定められた事象（イベント）が発生したことを契機（トリガー）としてサーバ２０と接続して情報を送信しても良い。予め定められた事象（イベント）としては、各情報取得デバイスが取得対象のエリアを利用して飲食するユーザが店舗を退出したことを例示することができる。
【００７０】
図１７−１及び図１７−２は、本実施の形態に係るキャッシュレスシステム１における動作例を示したシーケンス図である。図１７−１及び図１７−２に示した動作例は、ユーザＡ、ユーザＢ、ユーザＣの３人を含んで一のグループが構成され、ユーザＡが所有するユーザ端末１０Ａ、ユーザＢが所有するユーザ端末１０Ｂ、ユーザＣが所有するユーザ端末１０Ｃにて注文や会計が行われる場合の動作例を示している。
【００７１】
先ず、ユーザＡが、案内されたエリア（エリア番号は１とする）に予め置かれていたコード情報を、自身が所有するユーザ端末１０Ａにて読み取るとともに、読み込んだ後に表示されるアドレスにアクセスする（Ｓ１７０１）。
サーバ２０は、エリア番号とユーザ端末１０Ａとを関連付けて記憶する（Ｓ１７０２）。より具体的には、エリア番号が１であるエリアに配置されていたコード情報を読み取ることで表示されるアドレスに基づいて最初にアクセスしてきたのがユーザ端末１０Ａであることから、ユーザ端末１０Ａの識別番号であるユーザ番号を１として、エリア番号に関連付けて記憶部２２に記憶する。これは、識別部２１２が行う処理である。そして、サーバ２０においては、生成部２１３がメニュー画面を表示させるためのＨＴＭＬ文書を生成して、ユーザ端末１０Ａに送信する（Ｓ１７０３）。ユーザ端末１０Ａは、表示部１３にメニュー画面を表示する（Ｓ１７０４）。
【００７２】
ユーザＢが、案内されたエリア（エリア番号：１）に予め置かれていたコード情報を、自身が所有するユーザ端末１０Ｂにて読み取るとともに、読み込んだ後に表示されるアドレスにアクセスする（Ｓ１７０５）。
サーバ２０は、エリア番号とユーザ端末１０Ｂとを関連付けて記憶する（Ｓ１７０６）。より具体的には、エリア番号が１であるエリアに配置されていたコード情報を読み取ることで表示されるアドレスに基づいて、ユーザ端末１０Ａの次にアクセスしてきたのがユーザ端末１０Ｂであることから、ユーザ端末１０Ｂの識別番号であるユーザ番号を２として、エリア番号に関連付けて記憶部２２に記憶する。そして、サーバ２０は、メニュー画面を表示させるためのＨＴＭＬ文書を生成して、ユーザ端末１０Ｂに送信する（Ｓ１７０７）。ユーザ端末１０Ｂは、表示部１３にメニュー画面を表示する（Ｓ１７０８）。
【００７３】
ユーザＣが、案内されたエリアに予め置かれていたコード情報を、自身が所有するユーザ端末１０Ｃにて読み取るとともに、読み込んだ後に表示されるアドレスにアクセスする（Ｓ１７０９）。
サーバ２０は、エリア番号とユーザ端末１０Ｃとを関連付けて記憶する（Ｓ１７１０）。より具体的には、エリア番号が１であるエリアに配置されていたコード情報を読み取ることで表示されるアドレスに基づいて、ユーザ端末１０Ｂの次にアクセスしてきたのがユーザ端末１０Ｃであることから、ユーザ端末１０Ｃの識別番号であるユーザ番号を３として、エリア番号に関連付けて記憶部２２に記憶する。そして、サーバ２０は、メニュー画面を表示させるためのＨＴＭＬ文書を生成して、ユーザ端末１０Ｃに送信する（Ｓ１７１１）。ユーザ端末１０Ｃは、表示部１３にメニュー画面を表示する（Ｓ１７１２）。
【００７４】
その後、ユーザＡが、ユーザ端末１０Ａの表示部１３に表示されているメニュー画面に表示されている商品群の中から一の商品（例えばビール）を選択して、その商品の注文ボタン７１ｄを押下したとする（Ｓ１７１３）。サーバ２０は、その商品の注文を受け付け、注文を受けた商品と、注文を行ってきたユーザ端末１０のユーザ番号及びエリア番号とを関連付けて記憶部２２に記憶する（Ｓ１７１４）。そして、サーバ２０は、注文を受けた商品、注文を行ったユーザ端末１０のユーザ番号及びエリア番号等の情報を、店舗端末３０に送信する（Ｓ１７１５）。これらは、受注部２１４が行う処理である。
【００７５】
店舗端末３０においては、サーバ２０からの商品の注文に関する情報を取得し、取得した情報である、注文を受けた商品（例えばビール）、注文を行ったユーザ端末１０Ａのユーザ番号（ユーザ番号：１）及びエリア番号（エリア番号：１）を報知する（Ｓ１７１６）。報知手法としては、上述した、表示部３３の表示画面に表示させること、スピーカ３７から音声出力させること、プリンタ４０に出力させることの少なくともいずれかであることを例示することができる。
そして、店舗の従業員（例えば配膳人）が、注文を受けた商品（例えばビール）をユーザＡに届けることで、ユーザＡは、注文した商品を受け取る（Ｓ１７１７）。
上記Ｓ１７１３〜Ｓ１７１７の処理が、ユーザＡ、ユーザＢ、ユーザＣの全てのユーザからの注文が終了するまで注文毎に繰り返される。
【００７６】
サーバ２０の評価把握部２２０は、音声解析部２２１が解析した音声及び画像解析部２２２が解析した画像の少なくともいずれかに基づいて、商品の評価に関する情報を把握する評価把握処理を行う（Ｓ１７１８）。この評価把握処理において、評価把握部２２０は、一の商品に対する評価を把握した場合には、商品名と評価に関する情報とを関連付けて記憶部２２に記憶する。また、評価把握部２２０は、商品名と評価に関する情報とを店舗端末３０に送信しても良い。このようにして、サーバ２０は、ユーザが飲食した直後に商品に対する評価を把握することができる。それゆえ、サーバ２０は、例えばユーザが店舗を退出した後に評価を入力する等に比べて、確度が高い評価に関する情報を把握することができる。
【００７７】
一のグループを構成するいずれかのユーザが、ユーザ端末１０（図１７−２においてはユーザ端末１０Ａ）の表示部１３に表示されているメニュー画面７１に表示されている会計ボタン７１ｅを押下したとする（Ｓ１７１９）。サーバ２０においては、生成部２１３が会計画面７２を表示させるためのＨＴＭＬ文書を生成し（Ｓ１７２０）、送信部２１７がＨＴＭＬ文書をユーザ端末１０Ａに送信する（Ｓ１７２１）。ユーザ端末１０Ａは、表示部１３に会計画面７２を表示する（Ｓ１７２２）。
【００７８】
その後、ユーザＡが、ユーザ端末１０Ａの表示部１３に表示されている会計画面７２に表示されている同等割会計ボタン７２ｃを押下したとする（Ｓ１７２３）。サーバ２０においては、課金部２１５が、エリア番号が１であるエリアで飲食された全商品の合計金額を、ユーザ端末１０の数である３にて同等割した金額を算出し（Ｓ１７２４）、その金額等の情報を含んだＨＴＭＬ文書を、送信部２１７を介して全ユーザ端末１０（ユーザ端末１０Ａ、ユーザ端末１０Ｂ、ユーザ端末１０Ｃ）に送信する（Ｓ１７２５）。全ユーザ端末１０（ユーザ端末１０Ａ、ユーザ端末１０Ｂ、ユーザ端末１０Ｃ）は、表示部１３に、同等割した金額と、確認ボタン７４ａを表示する（Ｓ１７２６）。
【００７９】
その後、ユーザＡが、ユーザ端末１０Ａの表示部１３に表示されている確認ボタン７４ａを押下した場合には（Ｓ１７２７）、サーバ２０は、決済処理を行う（Ｓ１７２８）。これにより、ユーザ端末１０Ａを用いた支払いが終了する。また、ユーザＢが、ユーザ端末１０Ｂの表示部１３に表示されている確認ボタン７４ａを押下した場合には（Ｓ１７２９）、サーバ２０は、決済処理を行う（Ｓ１７３０）。これにより、ユーザ端末１０Ｂを用いた支払いが終了する。また、ユーザＣが、ユーザ端末１０Ｃの表示部１３に表示されている確認ボタン７４ａを押下した場合には（Ｓ１７３１）、サーバ２０は、決済処理を行う（Ｓ１７３２）。これにより、ユーザ端末１０Ｃを用いた支払いが終了する。
【００８０】
以上のように構成された本実施の形態に係るキャッシュレスシステム１は、飲食店に来訪したユーザのユーザ端末１０からの接続要求を受け付ける受付手段の一例としての受信部２１１と、飲食店にて提供する料理の一覧をユーザ端末１０に表示させる表示制御手段の一例としての生成部２１３と、を備える評価取得システムの一例である。そして、本実施の形態に係るキャッシュレスシステム１は、ユーザ端末１０から商品の注文を受ける受注手段の一例としての受注部２１４と、商品の評価に関する情報を、ユーザの挙動から把握する把握手段の一例としての評価把握部２２０と、を備える。
本実施の形態に係るキャッシュレスシステム１によれば、評価把握部２２０がユーザの挙動から商品の評価に関する情報を把握するので、ユーザの挙動以外から商品の評価に関する情報を把握する場合よりも、確度高い評価に関する情報を把握することができる。
【００８１】
評価把握部２２０は、ユーザの発話を録音する録音手段の一例としてのマイク６１が録音した発話内容に基づいて商品の評価に関する情報を把握しても良い。音声解析部２２１は、マイク６１により収録された音響情報を解析することによりユーザの発話内容を認識する。そして、評価導出部２２３は、音声解析部２２１が認識した発話内容から、一の商品に対する評価を把握可能である場合には、音声解析部２２１による解析結果を用いて一の商品に対する評価を把握する。本実施の形態に係るキャッシュレスシステム１によれば、例えば、ユーザの飲食直後の生の声を基に商品の評価に関する情報を把握することで、確度高い評価に関する情報を把握することができる。
【００８２】
評価把握部２２０は、ユーザの表情を撮像する撮像手段の一例としてのカメラ６２が撮影した商品を食べた後のユーザの表情に基づいて商品の評価に関する情報を把握しても良い。画像解析部２２２は、カメラ６２により撮影された撮影画像を解析することによりユーザの表情を認識する。画像解析部２２２は、カメラ６２により撮影された撮影画像を解析することによりユーザが飲食した商品を特定する。そして、評価導出部２２３は、画像解析部２２２が認識したユーザの表情及びユーザが飲食した商品から、一の商品に対する評価を把握可能である場合には、画像解析部２２２による解析結果を用いて一の商品に対する評価を把握する。本実施の形態に係るキャッシュレスシステム１によれば、例えば、ユーザの飲食直後の表情を基に商品の評価に関する情報を把握することで、確度高い評価に関する情報を把握することができる。
【００８３】
評価把握部２２０は、受注部２１４が受けた注文に基づいてユーザが食べた商品を特定しても良い。画像解析部２２２は、例えば、撮影画像から商品を特定するときに、受注部２１４が一のグループから複数の注文を受けていた場合には、撮影画像から抽出した特徴量と、受注部２１４が注文を受けていた複数の商品の特徴量を、注文を受けていない商品の特徴量よりも先に比較すると良い。受注部２１４が注文を受けていた商品を考慮することで、受注部２１４が注文を受けていた商品を考慮しない場合よりも、迅速かつ精度高く商品を特定することが可能となる。
【００８４】
評価把握部２２０は、マイク６１が録音した発話内容と、カメラ６２が撮影した画像とに基づいて商品の評価に関する情報を把握しても良い。つまり、マイク６１が商品に関する情報と評価に関する情報とをともに収録できない場合や、カメラ６２が商品とユーザの表情とをともに撮影できない場合等には、マイク６１が録音した発話内容とカメラ６２が撮影した撮影画像とを用いて商品に関する情報と評価に関する情報とを把握しても良い。
例えば、評価把握部２２０は、カメラ６２が撮影した画像に基づいてユーザが飲食した商品を特定し、マイク６１が録音した発話内容に基づいて商品の評価を把握しても良い。又は、評価把握部２２０は、カメラ６２が撮影したユーザの表情を基に商品の評価を把握し、マイク６１が録音した発話内容を基にユーザが飲食した商品を特定しても良い。
【００８５】
評価把握部２２０は、受注部２１４が注文を受けた複数の商品の中から選択することでユーザが食べた商品を特定しても良い。マイク６１が録音した発話内容、又は、カメラ６２が撮影した画像を基にユーザが飲食した商品を特定する際に、受注部２１４が注文を受けていた商品を考慮することで、受注部２１４が注文を受けていた商品を考慮しない場合よりも、迅速かつ精度高く商品を特定することが可能となる。
【００８６】
なお、上述した実施の形態に係るキャッシュレスシステム１においては、商品の評価に関する情報として、画像解析部２２２は、ユーザの顔の表情である笑顔や怒り顔を認識し、評価導出部２２３は、「笑顔」は「良い」、「怒り顔」は「悪い」ことを示す評価であると把握するが特にかかる態様に限定されない。例えば、画像解析部２２２は、ユーザの顔の表情が驚嘆した顔や渋い顔であることを認識し、評価導出部２２３は、「驚嘆した顔」は「良い」、「渋い顔」は「悪い」ことを示す評価であると把握しても良い。
また、画像解析部２２２は、評価に関する情報を得るために、ユーザの顔の表情以外を認識しても良い。例えば、画像解析部２２２は、親指を立てるジェスチャーや親指を下げるジェスチャーを認識しても良い。そして、評価導出部２２３は、「親指を立てるジェスチャー」は「良い」、「親指を下げるジェスチャー」は「悪い」ことを示す評価であると把握しても良い。
【００８７】
また、本実施の形態に係るキャッシュレスシステム１において、サーバ２０は、飲食店にて提供する料理の一覧とともに、評価把握部２２０が把握した個々の商品の評価を、口コミとしてインターネットで閲覧可能にしても良い。これにより、飲食店が、特定の料理に強みを有する場合には、その料理をアピールすることが可能となる。例えば、接客態度が悪いために飲食店全体の評価が低くても、特定の料理に強みを持ち、その特定の料理の評価が高い場合には、その特定の料理を目的とする顧客を獲得することができる。その結果、飲食店の経営を向上させることが可能となる。また、ユーザは、特定の料理の評価が高い店舗に訪れることで、好みの料理を美味しく食べたいという要求を満たすことが可能となる。
なお、料理の評価をインターネットで閲覧可能にする際には、サーバ２０は、飲食店にて提供する料理を、評価が高い順に外部端末に表示させても良い。これにより、外部端末を所有する者は、料理をチェックする際に、簡便に評価が高い料理をチェックすることが可能となる。また、サーバ２０は、把握した評価がネガティブである場合には、公表しないようにしても良い。
【００８８】
なお、上述した実施の形態に係るキャッシュレスシステム１においては、飲食店にて飲食をし終えた後に会計処理を行う態様であるが、ユーザ端末１０にて注文を行う度に支払いを行えるようにしても良い。例えば、サーバ２０は、ユーザ端末１０の表示部１３に表示されたメニュー画面７１の注文ボタン７１ｄが押下された旨を受信した場合に、図７に例示した会計画面７２をユーザ端末１０の表示部１３に表示させても良い。そして、注文した個々の商品の代金を、一のグループを構成する複数のユーザの内のいずれかのユーザのユーザ端末１０にて支払うのか、同等割にするのか、特殊割にするのかを選択可能にすると良い。
【００８９】
また、上述した実施の形態に係るキャッシュレスシステム１においては、一のグループを構成する複数のユーザが所有する複数のユーザ端末１０の全ての表示部１３に表示されるメニュー画面７１に、会計ボタン７１ｅを表示させているが、特にかかる態様に限定されない。例えば、一のグループを構成する複数のユーザの内の一人を会計権限者として設定し、当該会計権限者が所有するユーザ端末１０（会計権限者端末）の表示部１３にのみ、メニュー画面７１に会計ボタン７１ｅを表示させるようにしても良い。そして、当該会計権限者端末においてのみ会計画面７２を表示させ、まとめ会計、端末毎会計、同等割会計、特殊割会計を選択可能にしても良い。なお、会計権限者は、一のグループを構成する複数のユーザが決定可能にしても良いし、コード情報を読み取ることで表示されるアドレスに最初にアクセスしてきたユーザ端末１０を所有する者を会計権限者（当該ユーザ端末１０を会計権限者端末）として決定しても良い。
【００９０】
また、上述した実施の形態に係るキャッシュレスシステム１においては、店舗の配膳人が注文された商品（料理や飲み物など）を配膳する態様であるが特にかかる態様に限定されない。商品の準備が整ったら、注文を行ったユーザ端末１０に対して電話をするかメッセージを送るなどして報知し、ユーザが商品を取りに来る態様であっても良い。かかる態様である場合、店舗端末３０に、ユーザ端末１０に対して電話やメッセージを送る機能を持たせても良い。
【００９１】
また、上述した実施の形態に係るキャッシュレスシステム１において、店舗端末３０は、厨房等の店舗内に配置されていることが好ましいが、サーバ２０は、店舗内に配置されていても良いし、店舗外に配置されていても良い。サーバ２０が店舗内に配置される場合には、サーバ２０と店舗端末３０とは一体であって良い。また、店舗端末３０とプリンタ４０とは一体であっても良いし、サーバ２０、店舗端末３０及びプリンタ４０が一体であっても良い。これらが一体となった装置と、取得システム６０とは、ＬＡＮ、bluetooth（登録商標）や赤外線通信等の無線通信又は有線通信にて、互いに通信可能となっていても良い。
また、プリンタ４０にてコード情報を含む画像が形成された用紙をエリアに配置する態様に限定されない。例えば、エリアに設置された、液晶パネルなどの表示装置にコード情報を表示させ、表示装置に表示されたコード情報を、ユーザ端末１０にて読み取らせるようにしても良い。
【００９２】
また、上述した実施の形態に係るキャッシュレスシステム１においては、ユーザ端末１０を用いて商品の注文及び会計を行うことを実現可能なサーバ２０が、商品の評価に関する情報をユーザの挙動から把握する機能を有するが特にかかる態様に限定されない。例えば、ユーザ端末１０を用いて商品の注文及び会計を行い得ないサーバが、評価把握部２２０を有し、店舗内に配置された取得システム６０から取得した音声や画像に基づいて商品の評価に関する情報をユーザの挙動から把握する機能を有しても良い。かかる場合、評価把握部２２０を備えるサーバを、商品の評価に関する情報をユーザの挙動から把握する把握手段の一例としての評価把握部２２０を備える評価取得システムとして捉えることができる。
【００９３】
また、上述の実施形態に係るキャッシュレスシステム１では、ユーザ端末１０が、サーバ２０から取得するＨＴＭＬ文書を解釈することでメニュー画面７１等を表示部１３に表示させる、いわゆるブラウザ形式によって本発明が実現される場合について説明したが、特にかかる態様に限定されない。ユーザ端末１０がダウンロードしたプログラムを実行することでメニュー画面７１等を表示させる、いわゆるネイティブアプリケーション形式によって実現しても良い。
【符号の説明】
【００９４】
１…キャッシュレスシステム、１０…ユーザ端末、２０…サーバ、２１…制御部、３０…店舗端末、４０…プリンタ、６０…取得システム、２１１…受信部、２１２…識別部、２１３…生成部、２１４…受注部、２１５…課金部、２１６…作成部、２１７…送信部、２２０…評価把握部、２２１…音声解析部、２２２…画像解析部、２２３…評価導出部
【図１】
2019175188.tif 000003
【図２】
2019175188.tif 000004
【図３】
2019175188.tif 000005
【図４】
2019175188.tif 000006
【図５】
2019175188.tif 000007
【図６】
2019175188.tif 000008
【図７】
2019175188.tif 000009
【図８】
2019175188.tif 000010
【図９】
2019175188.tif 000011
【図１０】
2019175188.tif 000012
【図１１】
2019175188.tif 000013
【図１２】
2019175188.tif 000014
【図１３】
2019175188.tif 000015
【図１４】
2019175188.tif 000016
【図１５】
2019175188.tif 000017
【図１６】
2019175188.tif 000018
【図１７−１】
2019175188.tif 000019
【図１７−２】
2019175188.tif 000020